(57)【要約】【課題】外部映像入力端子を介して同じアナログ映像信号が入力された場合でも、Ａ／Ｄ変換後の画像の製品間におけるバラツキを抑えることが可能となる表示装置を提供する。【解決手段】外部映像入力端子と、前記外部映像入力端子を介してアナログ映像信号が入力され、入力されたアナログ映像信号に対してキャリブレーションを行うアナログ入力部と、前記アナログ入力部によりキャリブレーションが行われたアナログ映像信号に対してＡ／Ｄ変換を行うＡ／Ｄ変換部と、を備えた表示装置において、前記アナログ映像信号と同じ形式であるＯＳＤ（On Screen Display）信号を前記アナログ入力部に出力するＯＳＤ出力部と、前記ＯＳＤ出力部が所定の画像信号を前記アナログ入力部に出力したときに、前記Ａ／Ｄ変換部が出力する画像信号に基づく信号値が目標値となるよう、前記アナログ入力部のキャリブレーション用調整パラメータを調整する調整部と、を備えた。【選択図】図１
2011112983.tif 000002
【特許請求の範囲】
【請求項１】
外部映像入力端子と、前記外部映像入力端子を介してアナログ映像信号が入力され、入力されたアナログ映像信号に対してキャリブレーションを行うアナログ入力部と、前記アナログ入力部によりキャリブレーションが行われたアナログ映像信号に対してＡ／Ｄ変換を行うＡ／Ｄ変換部と、を備えた表示装置において、
前記アナログ映像信号と同じ形式であるＯＳＤ（On Screen Display）信号を前記アナログ入力部に出力するＯＳＤ出力部と、
前記ＯＳＤ出力部が所定の画像信号を前記アナログ入力部に出力したときに、前記Ａ／Ｄ変換部が出力する画像信号に基づく信号値が目標値となるよう、前記アナログ入力部のキャリブレーション用調整パラメータを調整する調整部と、を備えることを特徴とする表示装置。
【請求項２】
前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポジット信号またはＳビデオ信号であり、
前記所定の画像信号は、白色および黒色の全画面表示画像信号であり、
前記Ａ／Ｄ変換部が出力する画像信号に基づく信号値は、前記Ｙ／Ｃｂ／Ｃｒ変換部が出力するＹ信号に基づく信号値であり、
前記キャリブレーション用調整パラメータは、コントラスト値およびブライトネス値である、ことを特徴とする請求項１に記載の表示装置。
【請求項３】
前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポジット信号またはＳビデオ信号であり、
前記所定の画像信号は、青色、赤色、黄色並びにシアンの全画面表示画像信号であり、
前記Ａ／Ｄ変換部が出力する画像信号に基づく信号値は、前記Ｙ／Ｃｂ／Ｃｒ変換部が出力するＣｂ信号またはＣｒ信号に基づく信号値であり、
前記キャリブレーション用調整パラメータは、サチュレーション値である、ことを特徴とする請求項１に記載の表示装置。
【請求項４】
前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポーネント信号であり、
前記所定の画像信号は、白色および黒色の全画面表示画像信号であり、
前記Ａ／Ｄ変換部が出力する画像信号に基づく信号値は、前記Ｙ／Ｃｂ／Ｃｒ変換部が出力するＹ信号に基づく信号値であり、
前記キャリブレーション用調整パラメータは、Ｇ信号のゲイン値およびオフセット値である、ことを特徴とする請求項１に記載の表示装置。
【請求項５】
前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポーネント信号であり、
前記所定の画像信号は、青色、赤色、黄色並びにシアンの全画面表示画像信号であり、
前記Ａ／Ｄ変換部が出力する画像信号に基づく信号値は、前記Ｙ／Ｃｂ／Ｃｒ変換部が出力するＣｂ信号またはＣｒ信号に基づく信号値であり、
前記キャリブレーション用調整パラメータは、Ｂ信号およびＲ信号の各ゲイン値および各オフセット値である、ことを特徴とする請求項１に記載の表示装置。
【発明の詳細な説明】
【技術分野】
【０００１】
本発明は、表示装置におけるアナログ映像信号のキャリブレーションに関する。
【背景技術】
【０００２】
従来より、液晶表示装置など様々な表示装置が開発されており、このような表示装置には、通常、アナログコンポジット信号（ＣＶＢＳ）やアナログコンポーネント信号などのアナログ映像信号を装置外部から入力するための外部映像入力端子が備えられている。
【０００３】
例えば、特許文献１には、装置外部より入力されるアナログコンポジット信号やアナログコンポーネント信号が、ビデオプロセッサが有するデジタル変換部に入力され、デジタル変換部においてゲイン調整などがされた後、Ａ／Ｄ変換されるような液晶表示装置が開示されている。
【先行技術文献】
【特許文献】
【０００４】
【特許文献１】特開２００６−１３９３２号公報
【発明の概要】
【発明が解決しようとする課題】
【０００５】
上記特許文献１の液晶表示装置を始めとする従来の表示装置では、アナログ映像信号に対してゲイン調整などのいわゆるキャリブレーションが行われるが、ゲイン値などの調整パラメータは設計段階で決定した固定値であり、Ａ／Ｄ変換部の製品間のバラツキにより、同じアナログ映像信号が入力されてもＡ／Ｄ変換後の画像が製品間でばらつくといった問題点があった。
【０００６】
上記問題点を鑑み、本発明は、外部映像入力端子を介して同じアナログ映像信号が入力された場合でも、Ａ／Ｄ変換後の画像の製品間におけるバラツキを抑えることが可能となる表示装置を提供することを目的とする。
【課題を解決するための手段】
【０００７】
上記目的を達成するために本発明の表示装置は、外部映像入力端子と、前記外部映像入力端子を介してアナログ映像信号が入力され、入力されたアナログ映像信号に対してキャリブレーションを行うアナログ入力部と、前記アナログ入力部によりキャリブレーションが行われたアナログ映像信号に対してＡ／Ｄ変換を行うＡ／Ｄ変換部と、を備えた表示装置において、
前記アナログ映像信号と同じ形式であるＯＳＤ（On Screen Display）信号を前記アナログ入力部に出力するＯＳＤ出力部と、
前記ＯＳＤ出力部が所定の画像信号を前記アナログ入力部に出力したときに、前記Ａ／Ｄ変換部が出力する画像信号に基づく信号値が目標値となるよう、前記アナログ入力部のキャリブレーション用調整パラメータを調整する調整部と、を備える構成とした。
【０００８】
このような構成によれば、外部映像入力端子を介して同じアナログ映像信号がアナログ入力部に入力された場合に、Ａ／Ｄ変換後の画像の製品間におけるバラツキを抑えることができる。
【０００９】
また、外部映像入力端子から映像信号を入力して手動で調整パラメータを調整するのではなく、装置内部のＯＳＤ機能を用いて自動的に調整するので、生産工程において人員を増やすことなく製品ごとの調整を行うことができる。
【００１０】
また、より具体的に、上記構成において、前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポジット信号またはＳビデオ信号であり、
前記所定の画像信号は、白色および黒色の全画面表示画像信号であり、
前記Ａ／Ｄ変換部が出力する画像信号に基づく信号値は、前記Ｙ／Ｃｂ／Ｃｒ変換部が出力するＹ信号に基づく信号値であり、
前記キャリブレーション用調整パラメータは、コントラスト値およびブライトネス値である構成としてもよい。
【００１１】
また、より具体的に、上記構成において、前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポジット信号またはＳビデオ信号であり、
前記所定の画像信号は、青色、赤色、黄色並びにシアンの全画面表示画像信号であり、
前記Ａ／Ｄ変換部が出力する画像信号に基づく信号値は、前記Ｙ／Ｃｂ／Ｃｒ変換部が出力するＣｂ信号またはＣｒ信号に基づく信号値であり、
前記キャリブレーション用調整パラメータは、サチュレーション値である構成としてもよい。
【００１２】
また、より具体的に、上記構成において、前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポーネント信号であり、
前記所定の画像信号は、白色および黒色の全画面表示画像信号であり、
前記Ａ／Ｄ変換部が出力する画像信号に基づく信号値は、前記Ｙ／Ｃｂ／Ｃｒ変換部が出力するＹ信号に基づく信号値であり、
前記キャリブレーション用調整パラメータは、Ｇ信号のゲイン値およびオフセット値である構成としてもよい。
【００１３】
また、より具体的に、上記構成において、前記Ａ／Ｄ変換部が出力する画像信号をＹ信号、Ｃｂ信号並びにＣｒ信号に変換するＹ／Ｃｂ／Ｃｒ変換部を備え、
前記アナログ映像信号は、アナログコンポーネント信号であり、
前記所定の画像信号は、青色、赤色、黄色並びにシアンの全画面表示画像信号であり、
前記Ａ／Ｄ変換部が出力する画像信号に基づく信号値は、前記Ｙ／Ｃｂ／Ｃｒ変換部が出力するＣｂ信号またはＣｒ信号に基づく信号値であり、
前記キャリブレーション用調整パラメータは、Ｂ信号およびＲ信号の各ゲイン値および各オフセット値である構成としてもよい。
【発明の効果】
【００１４】
本発明の表示装置によれば、外部映像入力端子を介して同じアナログ映像信号が入力された場合でも、Ａ／Ｄ変換後の画像の製品間におけるバラツキを抑えることが可能となる。
【図面の簡単な説明】
【００１５】
【図１】本発明の一実施形態である液晶テレビが備える画像処理デバイスの構成を示すブロック図である。
【図２Ａ】アナログコンポジット信号のキャリブレーション調整に関するフローチャートである。
【図２Ｂ】アナログコンポジット信号のキャリブレーション調整に関するフローチャートである。
【図２Ｃ】アナログコンポジット信号のキャリブレーション調整に関するフローチャートである。
【図３Ａ】アナログコンポーネント信号のキャリブレーション調整に関するフローチャートである。
【図３Ｂ】アナログコンポーネント信号のキャリブレーション調整に関するフローチャートである。
【図３Ｃ】アナログコンポーネント信号のキャリブレーション調整に関するフローチャートである。
【発明を実施するための形態】
【００１６】
以下に本発明の実施形態を図面を参照して説明する。ここでは、本発明の表示装置として、液晶テレビを一例として説明する。
【００１７】
図１は、本発明に係る液晶テレビが備える画像処理デバイスの構成を示すブロック図である。画像処理デバイス２０は、アナログ入力部１と、Ａ／Ｄ変換部２と、Ｙ／Ｃｂ／Ｃｒ変換部３と、フレームバッファ４と、画像処理部５と、画像キャプチャ部６と、キャリブレーション調整部７と、フラッシュメモリ８と、デジタル入力部９と、デコーダ部１０と、ＯＳＤ（On Screen Display）表示部１１と、Ｄ／Ａ変換部１２と、を備えている。
【００１８】
本発明に係る液晶テレビは外部映像入力端子（不図示）を有しており、外部映像入力端子からアナログコンポジット信号（ＣＶＢＳ）が入力され、入力されたアナログコンポジット信号は不図示のフィルタなどを通過後、アナログ入力部１に入力される。また、アナログコンポーネント信号も同様にアナログ入力部１に入力される。
【００１９】
アナログ入力部１は、入力されたアナログコンポジット信号を輝度信号（Ｙ信号）と色信号（Ｃ信号）に分離し、輝度信号に対してゲイン調整およびオフセット調整を行い、色信号に対してゲイン調整を行い、調整後の映像信号をＡ／Ｄ変換部２に出力する。なお、輝度信号に対するゲイン調整のゲイン値をコントラスト値と呼び、輝度信号に対するオフセット調整のオフセット値をブライトネス値と呼び、色信号に対するゲイン調整のゲイン値をサチュレーション値と呼ぶ。
【００２０】
また、アナログ入力部１に入力されるアナログコンポーネント信号は、Ｒ信号、Ｇ信号、Ｂ信号とからなり、アナログ入力部１は、入力される各信号に対してゲイン調整およびオフセット調整を行い、調整後の映像信号をＡ／Ｄ変換部２に出力する。
【００２１】
Ａ／Ｄ変換部２は、アナログ入力部１から入力される映像信号をデジタル信号に変換しＹ／Ｃｂ／Ｃｒ変換部３に出力する。Ｙ／Ｃｂ／Ｃｒ変換部３は、入力されるデジタル信号をＹ信号（輝度信号）、Ｃｂ信号（色差信号）、Ｃｒ信号（色差信号）に変換し、フレームバッファ４に記憶させる。
【００２２】
画像処理部５は、フレームバッファ４に記憶された画像信号を読み出して各種画像処理を行い、所定の形式に変換された画像信号を液晶パネル３０に出力する。液晶パネル３０は、画像処理部５から入力される画像信号に基づき画像を表示する。
【００２３】
また、デジタル放送信号がデジタル入力部９に入力され、デジタル入力部９は、入力されたデジタル放送信号から映像信号を分離しデコーダ部１０に出力する。デコーダ部１０は、入力される映像信号をデコードし、デコード後の映像信号をフレームバッファ４に記憶させる。
【００２４】
また、ＯＳＤ表示部１１は、ＯＳＤ信号を生成してデコーダ部１０に出力し、デコーダ部１０は、デジタル入力部９から入力されデコードされた映像信号にＯＳＤ信号を重畳し、重畳後の映像信号をフレームバッファ４に記憶させることも行う。
【００２５】
また、後述するキャリブレーション調整においては、ＯＳＤ表示部１１は、白色などの一色の全画面表示画像信号を生成してＤ／Ａ変換部１２に出力し、Ｄ／Ａ変換部１２は、入力される全画面表示画像信号をアナログ信号に変換し、アナログ入力部１に出力する。このとき、Ｄ／Ａ変換部１２は、アナログコンポジット信号またはアナログコンポーネント信号へ変換することができる。
【００２６】
また、画像キャプチャ部６は、フレームバッファ４に記憶された画像信号を取り込む。キャリブレーション調整部７は、画像キャプチャ部６が取り込んだ画像信号を参照しながらキャリブレーション調整を行う。キャリブレーション調整については後に詳述する。そして、フラッシュメモリ８は、キャリブレーション調整により決定された各調整パラメータが記憶される記憶装置である。
【００２７】
次に、本発明に係る液晶テレビにおけるキャリブレーション調整について以下詳述する。
【００２８】
図２Ａ、図２Ｂ並びに図２Ｃに、アナログコンポジット信号についてのキャリブレーション調整に関するフローチャートを示す。本フローチャートは、例えば、液晶テレビの内部に設けられ通常ユーザは触れない操作部と、液晶テレビの外面に設けられた通常ユーザが操作できる操作部とにおける所定の操作がなされると開始される。
【００２９】
まず、ステップＳ１で、アナログ入力部１の映像入力がアナログコンポジット信号入力に切り替えられる。
【００３０】
次に、ステップＳ２で、ＯＳＤ表示部１１が白色の全画面表示画像信号を生成し、Ｄ／Ａ変換部１２から白色の全画面表示画像信号がアナログコンポジット信号としてアナログ入力部１に入力される。すると、アナログ入力部１によりキャリブレーションが行われたアナログコンポジット信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００３１】
なお、フラッシュメモリ８には、コントラスト値、ブライトネス値並びにサチュレーション値の各初期設定値が記憶されており、初回はキャリブレーション調整部７がこれらの各初期設定値をフラッシュメモリ８から読み出してアナログ入力部１に設定し、アナログ入力部１は設定に基づきキャリブレーションを行う。
【００３２】
そして、画像キャプチャ部６がフレームバッファ４から画像信号を取り込むので、ステップＳ３で、キャリブレーション調整部７は、画像キャプチャ部６が取り込んだ画像信号のうち、画面中央付近の各画素のＹ信号を参照し、参照したＹ信号の平均値を算出する。
【００３３】
そして、ステップＳ４で、キャリブレーション調整部７は、算出されたＹ信号の平均値が２３５を中心とする誤差範囲内に入るか否かを判定する。ここで、２３５とは、信号が８ビットの場合での目標値の例である。以下で述べる目標値についても同様とする。
【００３４】
そして、Ｙ信号の平均値が２３５を中心とする誤差範囲内に入らなければ（ステップＳ４のＮ）、ステップＳ５に進み、キャリブレーション調整部７は、その平均値が２３５より大きいか否かを判定する。もし、２３５より大きければ（ステップＳ５のＹ）、ステップＳ６に進み、キャリブレーション調整部７は、コントラスト値を現在の値より減少させ、アナログ入力部１に新たなコントラスト値を設定する。またもし、２３５より大きくなければ（ステップＳ５のＮ）、ステップＳ７に進み、キャリブレーション調整部７は、コントラスト値を現在の値より増加させ、アナログ入力部１に新たなコントラスト値を設定する。アナログ入力部１は、新たに設定されたコントラスト値に基づきキャリブレーションを行う。
【００３５】
ステップＳ６、Ｓ７の後、ステップＳ３に戻り、キャリブレーション調整部７は、Ｙ信号の平均値を算出し、ステップＳ４に進む。
【００３６】
もし、ステップＳ４でＹ信号の平均値が２３５を中心とする誤差範囲内に入れば（ステップＳ４のＹ）、ステップＳ８に進み、ＯＳＤ表示部１１が黒色の全画面表示画像信号を生成し、Ｄ／Ａ変換部１２から黒色の全画面表示画像信号がアナログコンポジット信号としてアナログ入力部１に入力される。すると、アナログ入力部１によりキャリブレーションが行われたアナログコンポジット信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００３７】
そして、画像キャプチャ部６がフレームバッファ４から画像信号を取り込むので、ステップＳ９で、キャリブレーション調整部７は、画像キャプチャ部６が取り込んだ画像信号のうち、画面中央付近の各画素のＹ信号を参照し、参照したＹ信号の平均値を算出する。
【００３８】
そして、ステップＳ１０で、キャリブレーション調整部７は、算出されたＹ信号の平均値が１６を中心とする誤差範囲内に入るか否かを判定する。
【００３９】
そして、Ｙ信号の平均値が１６を中心とする誤差範囲内に入らなければ（ステップＳ１０のＮ）、ステップＳ１１に進み、キャリブレーション調整部７は、その平均値が１６より大きいか否かを判定する。もし、１６より大きければ（ステップＳ１１のＹ）、ステップＳ１２に進み、キャリブレーション調整部７は、ブライトネス値を現在の値より減少させ、アナログ入力部１に新たなブライトネス値を設定する。またもし、１６より大きくなければ（ステップＳ１１のＮ）、ステップＳ１３に進み、キャリブレーション調整部７は、ブライトネス値を現在の値より増加させ、アナログ入力部１に新たなブライトネス値を設定する。アナログ入力部１は、新たに設定されたブライトネス値に基づきキャリブレーションを行う。
【００４０】
ステップＳ１２、Ｓ１３の後、ステップＳ１４に進み、キャリブレーション調整部７は、Ｙ信号の平均値を算出し、ステップＳ１５に進む。ステップＳ１５で、キャリブレーション調整部７は、算出されたＹ信号の平均値が１６を中心とする誤差範囲内に入るか否かを判定し、もし入らなければ（ステップＳ１５のＮ）、ステップＳ１１に戻り、もし入れば（ステップＳ１５のＹ）、ステップＳ２に戻る。
【００４１】
そして、もしステップＳ１０でＹ信号の平均値が１６を中心とする誤差範囲内に入れば（ステップＳ１０のＹ）、ステップＳ１６に進む（図２Ｂ）。
【００４２】
ステップＳ１６で、ＯＳＤ表示部１１が青色の全画面表示画像信号を生成し、Ｄ／Ａ変換部１２から青色の全画面表示画像信号がアナログコンポジット信号としてアナログ入力部１に入力される。すると、アナログ入力部１によりキャリブレーションが行われたアナログコンポジット信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００４３】
そして、画像キャプチャ部６がフレームバッファ４から画像信号を取り込むので、ステップＳ１７で、キャリブレーション調整部７は、画像キャプチャ部６が取り込んだ画像信号のうち、画面中央付近の各画素のＣｂ信号を参照し、参照したＣｂ信号の平均値を算出する。
【００４４】
そして、ステップＳ１８で、キャリブレーション調整部７は、算出されたＣｂ信号の平均値が２４０を中心とする誤差範囲内に入るか否かを判定する。
【００４５】
そして、Ｃｂ信号の平均値が２４０を中心とする誤差範囲内に入らなければ（ステップＳ１８のＮ）、ステップＳ１９に進み、キャリブレーション調整部７は、その平均値が２４０より大きいか否かを判定する。もし、２４０より大きければ（ステップＳ１９のＹ）、ステップＳ２０に進み、キャリブレーション調整部７は、サチュレーション値を現在の値より減少させ、アナログ入力部１に新たなサチュレーション値を設定する。またもし、２４０より大きくなければ（ステップＳ１９のＮ）、ステップＳ２１に進み、キャリブレーション調整部７は、サチュレーション値を現在の値より増加させ、アナログ入力部１に新たなサチュレーション値を設定する。アナログ入力部１は、新たに設定されたサチュレーション値に基づきキャリブレーションを行う。
【００４６】
ステップＳ２０、Ｓ２１の後、ステップＳ１７に戻り、キャリブレーション調整部７は、Ｃｂ信号の平均値を算出し、ステップＳ１８に進む。
【００４７】
もし、ステップＳ１８でＣｂ信号の平均値が２４０を中心とする誤差範囲内に入れば（ステップＳ１８のＹ）、ステップＳ２２に進み、ＯＳＤ表示部１１が赤色の全画面表示画像信号を生成し、Ｄ／Ａ変換部１２から赤色の全画面表示画像信号がアナログコンポジット信号としてアナログ入力部１に入力される。すると、アナログ入力部１によりキャリブレーションが行われたアナログコンポジット信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００４８】
そして、画像キャプチャ部６がフレームバッファ４から画像信号を取り込むので、ステップＳ２３で、キャリブレーション調整部７は、画像キャプチャ部６が取り込んだ画像信号のうち、画面中央付近の各画素のＣｒ信号を参照し、参照したＣｒ信号の平均値を算出する。
【００４９】
そして、ステップＳ２４で、キャリブレーション調整部７は、算出されたＣｒ信号の平均値が２４０を中心とする誤差範囲内に入るか否かを判定する。
【００５０】
そして、Ｃｒ信号の平均値が２４０を中心とする誤差範囲内に入らなければ（ステップＳ２４のＮ）、ステップＳ２５に進み、キャリブレーション調整部７は、その平均値が２４０より大きいか否かを判定する。もし、２４０より大きければ（ステップＳ２５のＹ）、ステップＳ２６に進み、キャリブレーション調整部７は、サチュレーション値を現在の値より減少させ、アナログ入力部１に新たなサチュレーション値を設定する。またもし、２４０より大きくなければ（ステップＳ２５のＮ）、ステップＳ２７に進み、キャリブレーション調整部７は、サチュレーション値を現在の値より増加させ、アナログ入力部１に新たなサチュレーション値を設定する。アナログ入力部１は、新たに設定されたサチュレーション値に基づきキャリブレーションを行う。
【００５１】
ステップＳ２６、Ｓ２７の後、ステップＳ２８に進み、キャリブレーション調整部７は、Ｃｒ信号の平均値を算出し、ステップＳ２９に進む。ステップＳ２９で、キャリブレーション調整部７は、算出されたＣｒ信号の平均値が２４０を中心とする誤差範囲内に入るか否かを判定し、もし入らなければ（ステップＳ２９のＮ）、ステップＳ２５に戻り、もし入れば（ステップＳ２９のＹ）、ステップＳ１６に戻る。
【００５２】
そして、もしステップＳ２４でＣｒ信号の平均値が２４０を中心とする誤差範囲内に入れば（ステップＳ２４のＹ）、ステップＳ３０に進む（図２Ｃ）。
【００５３】
ステップＳ３０で、ＯＳＤ表示部１１が黄色の全画面表示画像信号を生成し、Ｄ／Ａ変換部１２から黄色の全画面表示画像信号がアナログコンポジット信号としてアナログ入力部１に入力される。すると、アナログ入力部１によりキャリブレーションが行われたアナログコンポジット信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００５４】
そして、画像キャプチャ部６がフレームバッファ４から画像信号を取り込むので、ステップＳ３１で、キャリブレーション調整部７は、画像キャプチャ部６が取り込んだ画像信号のうち、画面中央付近の各画素のＣｂ信号を参照し、参照したＣｂ信号の平均値を算出する。
【００５５】
そして、ステップＳ３２で、キャリブレーション調整部７は、算出されたＣｂ信号の平均値が１６を中心とする誤差範囲内に入るか否かを判定する。
【００５６】
そして、Ｃｂ信号の平均値が１６を中心とする誤差範囲内に入らなければ（ステップＳ３２のＮ）、ステップＳ３３に進み、キャリブレーション調整部７は、その平均値が１６より大きいか否かを判定する。もし、１６より大きければ（ステップＳ３３のＹ）、ステップＳ３４に進み、キャリブレーション調整部７は、サチュレーション値を現在の値より減少させ、アナログ入力部１に新たなサチュレーション値を設定する。またもし、１６より大きくなければ（ステップＳ３３のＮ）、ステップＳ３５に進み、キャリブレーション調整部７は、サチュレーション値を現在の値より増加させ、アナログ入力部１に新たなサチュレーション値を設定する。アナログ入力部１は、新たに設定されたサチュレーション値に基づきキャリブレーションを行う。
【００５７】
ステップＳ３４、Ｓ３５の後、ステップＳ３１に戻り、キャリブレーション調整部７は、Ｃｂ信号の平均値を算出し、ステップＳ３２に進む。
【００５８】
もし、ステップＳ３２でＣｂ信号の平均値が１６を中心とする誤差範囲内に入れば（ステップＳ３２のＹ）、ステップＳ３６に進み、ＯＳＤ表示部１１がシアンの全画面表示画像信号を生成し、Ｄ／Ａ変換部１２からシアンの全画面表示画像信号がアナログコンポジット信号としてアナログ入力部１に入力される。すると、アナログ入力部１によりキャリブレーションが行われたアナログコンポジット信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００５９】
そして、画像キャプチャ部６がフレームバッファ４から画像信号を取り込むので、ステップＳ３７で、キャリブレーション調整部７は、画像キャプチャ部６が取り込んだ画像信号のうち、画面中央付近の各画素のＣｒ信号を参照し、参照したＣｒ信号の平均値を算出する。
【００６０】
そして、ステップＳ３８で、キャリブレーション調整部７は、算出されたＣｒ信号の平均値が１６を中心とする誤差範囲内に入るか否かを判定する。
【００６１】
そして、Ｃｒ信号の平均値が１６を中心とする誤差範囲内に入らなければ（ステップＳ３８のＮ）、ステップＳ３９に進み、キャリブレーション調整部７は、その平均値が１６より大きいか否かを判定する。もし、１６より大きければ（ステップＳ３９のＹ）、ステップＳ４０に進み、キャリブレーション調整部７は、サチュレーション値を現在の値より減少させ、アナログ入力部１に新たなサチュレーション値を設定する。またもし、１６より大きくなければ（ステップＳ３９のＮ）、ステップＳ４１に進み、キャリブレーション調整部７は、サチュレーション値を現在の値より増加させ、アナログ入力部１に新たなサチュレーション値を設定する。アナログ入力部１は、新たに設定されたサチュレーション値に基づきキャリブレーションを行う。
【００６２】
ステップＳ４０、Ｓ４１の後、ステップＳ４２に進み、キャリブレーション調整部７は、Ｃｒ信号の平均値を算出し、ステップＳ４３に進む。ステップＳ４３で、キャリブレーション調整部７は、算出されたＣｒ信号の平均値が１６を中心とする誤差範囲内に入るか否かを判定し、もし入らなければ（ステップＳ４３のＮ）、ステップＳ３９に戻り、もし入れば（ステップＳ４３のＹ）、ステップＳ１６に戻る（図２Ｂ）。
【００６３】
そして、もしステップＳ３８でＣｒ信号の平均値が１６を中心とする誤差範囲内に入れば（ステップＳ３８のＹ）、ステップＳ４４に進む。ステップＳ４４で、Ｄ／Ａ変換部１２は、全画面表示画像信号の出力を停止し、ステップＳ４５に進む。
【００６４】
ステップＳ４５で、キャリブレーション調整部７は、フラッシュメモリ８に記憶された初期設定値から現在のコントラスト値、ブライトネス値並びにサチュレーション値に設定値を更新記憶させ、処理が完了する（エンド）。以降、液晶テレビの通常使用時に、外部映像入力端子を介して入力されるアナログコンポジット信号に対して、フラッシュメモリ８に設定されたコントラスト値、ブライトネス値並びにサチュレーション値に基づきアナログ入力部１はキャリブレーションを行い、キャリブレーションされた映像信号に基づき液晶パネル３０に映像が表示されることとなる。
【００６５】
また、図３Ａ、図３Ｂ並びに図３Ｃに、アナログコンポーネント信号についてのキャリブレーション調整に関するフローチャートを示す。本フローチャートは、例えば、液晶テレビの内部に設けられ通常ユーザは触れない操作部と、液晶テレビの外面に設けられた通常ユーザが操作できる操作部とにおける所定の操作がなされると開始される。なお、先に説明した図２Ａ、図２Ｂ並びに図２Ｃで示す処理の完了後に続けて開始されてもよい。
【００６６】
まず、ステップＳ５０で、アナログ入力部１の映像入力がアナログコンポーネント信号入力に切り替えられる。
【００６７】
次に、ステップＳ５１で、ＯＳＤ表示部１１が白色の全画面表示画像信号を生成し、Ｄ／Ａ変換部１２から白色の全画面表示画像信号がアナログコンポーネント信号としてアナログ入力部１に入力される。すると、アナログ入力部１によりキャリブレーションが行われたアナログコンポーネント信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００６８】
なお、フラッシュメモリ８には、Ｒ信号、Ｇ信号並びにＢ信号の各ゲイン値および各オフセット値の各初期設定値が記憶されており、初回はキャリブレーション調整部７がこれらの各初期設定値をフラッシュメモリ８から読み出してアナログ入力部１に設定し、アナログ入力部１は設定に基づきキャリブレーションを行う。
【００６９】
そして、画像キャプチャ部６がフレームバッファ４から画像信号を取り込むので、ステップＳ５２で、キャリブレーション調整部７は、画像キャプチャ部６が取り込んだ画像信号のうち、画面中央付近の各画素のＹ信号を参照し、参照したＹ信号の平均値を算出する。
【００７０】
そして、ステップＳ５３で、キャリブレーション調整部７は、算出されたＹ信号の平均値が２３５を中心とする誤差範囲内に入るか否かを判定する。
【００７１】
そして、Ｙ信号の平均値が２３５を中心とする誤差範囲内に入らなければ（ステップＳ５３のＮ）、ステップＳ５４に進み、キャリブレーション調整部７は、その平均値が２３５より大きいか否かを判定する。もし、２３５より大きければ（ステップＳ５４のＹ）、ステップＳ５５に進み、キャリブレーション調整部７は、Ｇ信号のゲイン値を現在の値より減少させ、アナログ入力部１に新たなＧ信号のゲイン値を設定する。またもし、２３５より大きくなければ（ステップＳ５４のＮ）、ステップＳ５６に進み、キャリブレーション調整部７は、Ｇ信号のゲイン値を現在の値より増加させ、アナログ入力部１に新たなＧ信号のゲイン値を設定する。アナログ入力部１は、新たに設定されたＧ信号のゲイン値に基づきキャリブレーションを行う。
【００７２】
ステップＳ５５、Ｓ５６の後、ステップＳ５２に戻り、キャリブレーション調整部７は、Ｙ信号の平均値を算出し、ステップＳ５３に進む。
【００７３】
もし、ステップＳ５３でＹ信号の平均値が２３５を中心とする誤差範囲内に入れば（ステップＳ５３のＹ）、ステップＳ５７に進み、ＯＳＤ表示部１１が黒色の全画面表示画像信号を生成し、Ｄ／Ａ変換部１２から黒色の全画面表示画像信号がアナログコンポーネント信号としてアナログ入力部１に入力される。すると、アナログ入力部１によりキャリブレーションが行われたアナログコンポーネント信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００７４】
そして、画像キャプチャ部６がフレームバッファ４から画像信号を取り込むので、ステップＳ５８で、キャリブレーション調整部７は、画像キャプチャ部６が取り込んだ画像信号のうち、画面中央付近の各画素のＹ信号を参照し、参照したＹ信号の平均値を算出する。
【００７５】
そして、ステップＳ５９で、キャリブレーション調整部７は、算出されたＹ信号の平均値が１６を中心とする誤差範囲内に入るか否かを判定する。
【００７６】
そして、Ｙ信号の平均値が１６を中心とする誤差範囲内に入らなければ（ステップＳ５９のＮ）、ステップＳ６０に進み、キャリブレーション調整部７は、その平均値が１６より大きいか否かを判定する。もし、１６より大きければ（ステップＳ６０のＹ）、ステップＳ６１に進み、キャリブレーション調整部７は、Ｇ信号のオフセット値を現在の値より減少させ、アナログ入力部１に新たなＧ信号のオフセット値を設定する。またもし、１６より大きくなければ（ステップＳ６０のＮ）、ステップＳ６２に進み、キャリブレーション調整部７は、Ｇ信号のオフセット値を現在の値より増加させ、アナログ入力部１に新たなＧ信号のオフセット値を設定する。アナログ入力部１は、新たに設定されたＧ信号のオフセット値に基づきキャリブレーションを行う。
【００７７】
ステップＳ６１、Ｓ６２の後、ステップＳ６３に進み、キャリブレーション調整部７は、Ｙ信号の平均値を算出し、ステップＳ６４に進む。ステップＳ６４で、キャリブレーション調整部７は、算出されたＹ信号の平均値が１６を中心とする誤差範囲内に入るか否かを判定し、もし入らなければ（ステップＳ６４のＮ）、ステップＳ６０に戻り、もし入れば（ステップＳ６４のＹ）、ステップＳ５１に戻る。
【００７８】
そして、もしステップＳ５９でＹ信号の平均値が１６を中心とする誤差範囲内に入れば（ステップＳ５９のＹ）、ステップＳ６５に進む（図３Ｂ）。
【００７９】
ステップＳ６５で、ＯＳＤ表示部１１が青色の全画面表示画像信号を生成し、Ｄ／Ａ変換部１２から青色の全画面表示画像信号がアナログコンポーネント信号としてアナログ入力部１に入力される。すると、アナログ入力部１によりキャリブレーションが行われたアナログコンポーネント信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００８０】
そして、画像キャプチャ部６がフレームバッファ４から画像信号を取り込むので、ステップＳ６６で、キャリブレーション調整部７は、画像キャプチャ部６が取り込んだ画像信号のうち、画面中央付近の各画素のＣｂ信号を参照し、参照したＣｂ信号の平均値を算出する。
【００８１】
そして、ステップＳ６７で、キャリブレーション調整部７は、算出されたＣｂ信号の平均値が２４０を中心とする誤差範囲内に入るか否かを判定する。
【００８２】
そして、Ｃｂ信号の平均値が２４０を中心とする誤差範囲内に入らなければ（ステップＳ６７のＮ）、ステップＳ６８に進み、キャリブレーション調整部７は、その平均値が２４０より大きいか否かを判定する。もし、２４０より大きければ（ステップＳ６８のＹ）、ステップＳ６９に進み、キャリブレーション調整部７は、Ｂ信号のゲイン値を現在の値より減少させ、アナログ入力部１に新たなＢ信号のゲイン値を設定する。またもし、２４０より大きくなければ（ステップＳ６８のＮ）、ステップＳ７０に進み、キャリブレーション調整部７は、Ｂ信号のゲイン値を現在の値より増加させ、アナログ入力部１に新たなＢ信号のゲイン値を設定する。アナログ入力部１は、新たに設定されたＢ信号のゲイン値に基づきキャリブレーションを行う。
【００８３】
ステップＳ６９、Ｓ７０の後、ステップＳ６６に戻り、キャリブレーション調整部７は、Ｃｂ信号の平均値を算出し、ステップＳ６７に進む。
【００８４】
もし、ステップＳ６７でＣｂ信号の平均値が２４０を中心とする誤差範囲内に入れば（ステップＳ６７のＹ）、ステップＳ７１に進み、ＯＳＤ表示部１１が赤色の全画面表示画像信号を生成し、Ｄ／Ａ変換部１２から赤色の全画面表示画像信号がアナログコンポーネント信号としてアナログ入力部１に入力される。すると、アナログ入力部１によりキャリブレーションが行われたアナログコンポーネント信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００８５】
そして、画像キャプチャ部６がフレームバッファ４から画像信号を取り込むので、ステップＳ７２で、キャリブレーション調整部７は、画像キャプチャ部６が取り込んだ画像信号のうち、画面中央付近の各画素のＣｒ信号を参照し、参照したＣｒ信号の平均値を算出する。
【００８６】
そして、ステップＳ７３で、キャリブレーション調整部７は、算出されたＣｒ信号の平均値が２４０を中心とする誤差範囲内に入るか否かを判定する。
【００８７】
そして、Ｃｒ信号の平均値が２４０を中心とする誤差範囲内に入らなければ（ステップＳ７３のＮ）、ステップＳ７４に進み、キャリブレーション調整部７は、その平均値が２４０より大きいか否かを判定する。もし、２４０より大きければ（ステップＳ７４のＹ）、ステップＳ７５に進み、キャリブレーション調整部７は、Ｒ信号のゲイン値を現在の値より減少させ、アナログ入力部１に新たなＲ信号のゲイン値を設定する。またもし、２４０より大きくなければ（ステップＳ７４のＮ）、ステップＳ７６に進み、キャリブレーション調整部７は、Ｒ信号のゲイン値を現在の値より増加させ、アナログ入力部１に新たなＲ信号のゲイン値を設定する。アナログ入力部１は、新たに設定されたＲ信号のゲイン値に基づきキャリブレーションを行う。
【００８８】
ステップＳ７５、Ｓ７６の後、ステップＳ７７に進み、キャリブレーション調整部７は、Ｃｒ信号の平均値を算出し、ステップＳ７８に進む。ステップＳ７８で、キャリブレーション調整部７は、算出されたＣｒ信号の平均値が２４０を中心とする誤差範囲内に入るか否かを判定し、もし入らなければ（ステップＳ７８のＮ）、ステップＳ７４に戻り、もし入れば（ステップＳ７８のＹ）、ステップＳ６５に戻る。
【００８９】
そして、もしステップＳ７３でＣｒ信号の平均値が２４０を中心とする誤差範囲内に入れば（ステップＳ７３のＹ）、ステップＳ７９に進む（図３Ｃ）。
【００９０】
ステップＳ７９で、ＯＳＤ表示部１１が黄色の全画面表示画像信号を生成し、Ｄ／Ａ変換部１２から黄色の全画面表示画像信号がアナログコンポーネント信号としてアナログ入力部１に入力される。すると、アナログ入力部１によりキャリブレーションが行われたアナログコンポーネント信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００９１】
そして、画像キャプチャ部６がフレームバッファ４から画像信号を取り込むので、ステップＳ８０で、キャリブレーション調整部７は、画像キャプチャ部６が取り込んだ画像信号のうち、画面中央付近の各画素のＣｂ信号を参照し、参照したＣｂ信号の平均値を算出する。
【００９２】
そして、ステップＳ８１で、キャリブレーション調整部７は、算出されたＣｂ信号の平均値が１６を中心とする誤差範囲内に入るか否かを判定する。
【００９３】
そして、Ｃｂ信号の平均値が１６を中心とする誤差範囲内に入らなければ（ステップＳ８１のＮ）、ステップＳ８２に進み、キャリブレーション調整部７は、その平均値が１６より大きいか否かを判定する。もし、１６より大きければ（ステップＳ８２のＹ）、ステップＳ８３に進み、キャリブレーション調整部７は、Ｂ信号のオフセット値を現在の値より減少させ、アナログ入力部１に新たなＢ信号のオフセット値を設定する。またもし、１６より大きくなければ（ステップＳ８２のＮ）、ステップＳ８４に進み、キャリブレーション調整部７は、Ｂ信号のオフセット値を現在の値より増加させ、アナログ入力部１に新たなＢ信号のオフセット値を設定する。アナログ入力部１は、新たに設定されたＢ信号のオフセット値に基づきキャリブレーションを行う。
【００９４】
ステップＳ８３、Ｓ８４の後、ステップＳ８０に戻り、キャリブレーション調整部７は、Ｃｂ信号の平均値を算出し、ステップＳ８１に進む。
【００９５】
もし、ステップＳ８１でＣｂ信号の平均値が１６を中心とする誤差範囲内に入れば（ステップＳ８１のＹ）、ステップＳ８５に進み、ＯＳＤ表示部１１がシアンの全画面表示画像信号を生成し、Ｄ／Ａ変換部１２からシアンの全画面表示画像信号がアナログコンポーネント信号としてアナログ入力部１に入力される。すると、アナログ入力部１によりキャリブレーションが行われたアナログコンポーネント信号がＡ／Ｄ変換部２でＡ／Ｄ変換され、Ｙ／Ｃｂ／Ｃｒ変換部３でＹ信号、Ｃｂ信号並びにＣｒ信号に変換され、フレームバッファ４に記憶される。
【００９６】
そして、画像キャプチャ部６がフレームバッファ４から画像信号を取り込むので、ステップＳ８６で、キャリブレーション調整部７は、画像キャプチャ部６が取り込んだ画像信号のうち、画面中央付近の各画素のＣｒ信号を参照し、参照したＣｒ信号の平均値を算出する。
【００９７】
そして、ステップＳ８７で、キャリブレーション調整部７は、算出されたＣｒ信号の平均値が１６を中心とする誤差範囲内に入るか否かを判定する。
【００９８】
そして、Ｃｒ信号の平均値が１６を中心とする誤差範囲内に入らなければ（ステップＳ８７のＮ）、ステップＳ８８に進み、キャリブレーション調整部７は、その平均値が１６より大きいか否かを判定する。もし、１６より大きければ（ステップＳ８８のＹ）、ステップＳ８９に進み、キャリブレーション調整部７は、Ｒ信号のオフセット値を現在の値より減少させ、アナログ入力部１に新たなＲ信号のオフセット値を設定する。またもし、１６より大きくなければ（ステップＳ８８のＮ）、ステップＳ９０に進み、キャリブレーション調整部７は、Ｒ信号のオフセット値を現在の値より増加させ、アナログ入力部１に新たなＲ信号のオフセットを設定する。アナログ入力部１は、新たに設定されたＲ信号のオフセット値に基づきキャリブレーションを行う。
【００９９】
ステップＳ８９、Ｓ９０の後、ステップＳ９１に進み、キャリブレーション調整部７は、Ｃｒ信号の平均値を算出し、ステップＳ９２に進む。ステップＳ９２で、キャリブレーション調整部７は、算出されたＣｒ信号の平均値が１６を中心とする誤差範囲内に入るか否かを判定し、もし入らなければ（ステップＳ９２のＮ）、ステップＳ８８に戻り、もし入れば（ステップＳ９２のＹ）、ステップＳ６５に戻る（図３Ｂ）。
【０１００】
そして、もしステップＳ８７でＣｒ信号の平均値が１６を中心とする誤差範囲内に入れば（ステップＳ８７のＹ）、ステップＳ９３に進む。ステップＳ９３で、Ｄ／Ａ変換部１２は、全画面表示画像信号の出力を停止し、ステップＳ９４に進む。
【０１０１】
ステップＳ９４で、キャリブレーション調整部７は、フラッシュメモリ８に記憶された初期設定値から現在のＲ信号、Ｇ信号並びにＢ信号の各ゲイン値および各オフセット値に設定値を更新記憶させ、処理が完了する（エンド）。以降、液晶テレビの通常使用時に、外部映像入力端子を介して入力されるアナログコンポーネント信号に対して、フラッシュメモリ８に設定されたＲ信号、Ｇ信号並びにＢ信号の各ゲイン値および各オフセット値に基づきアナログ入力部１はキャリブレーションを行い、キャリブレーションされた映像信号に基づき液晶パネル３０に映像が表示されることとなる。
【０１０２】
以上のように、本発明に係る実施形態によれば、入力がアナログコンポジット信号の場合、白色および黒色の全画面表示画像信号をアナログ入力部１に入力した場合にＹ／Ｃｂ／Ｃｒ変換部３の出力するＹ信号の平均値が所定の目標値となるようコントラスト値およびブライトネス値を調整する。また、青色および黄色の全画面表示画像信号をアナログ入力部１に入力した場合にＹ／Ｃｂ／Ｃｒ変換部３の出力するＣｂ信号の平均値が所定の目標値となり、赤色およびシアンの全画面表示画像信号をアナログ入力部１に入力した場合にＹ／Ｃｂ／Ｃｒ変換部３の出力するＣｒ信号の平均値が所定の目標値となるようサチュレーション値を調整する。
【０１０３】
また、入力がアナログコンポーネント信号の場合、白色および黒色の全画面表示画像信号をアナログ入力部１に入力した場合にＹ／Ｃｂ／Ｃｒ変換部３の出力するＹ信号の平均値が所定の目標値となるようＧ信号のゲイン値およびオフセット値を調整する。また、青色および黄色の全画面表示画像信号をアナログ入力部１に入力した場合にＹ／Ｃｂ／Ｃｒ変換部３の出力するＣｂ信号の平均値が所定の目標値となり、赤色およびシアンの全画面表示画像信号をアナログ入力部１に入力した場合にＹ／Ｃｂ／Ｃｒ変換部３の出力するＣｒ信号の平均値が所定の目標値となるようＢ信号およびＲ信号の各ゲイン値および各オフセット値を調整する。
【０１０４】
これにより、外部映像入力端子を介して同じアナログコンポジット信号またはアナログコンポーネント信号がアナログ入力部１に入力された場合のＡ／Ｄ変換部２の出力する画像の製品間でのバラツキを抑えることができる。
【０１０５】
また、外部映像入力端子から映像信号を入力して手動でキャリブレーション調整をするのではなく、機器内部のＯＳＤ表示機能を用いて自動的にキャリブレーション調整を行うので、生産工程において人員を増やすことなくキャリブレーション調整を製品ごとに行うことができる。また、液晶パネル３０のバックライトが冷陰極管である場合は、生産工程においてバックライトの発光が安定するまでの点灯中（いわゆるエージング中）にキャリブレーション調整を行うことができる。
【０１０６】
以上、本発明に係る実施形態について説明したが、本発明の趣旨の範囲内であれば、実施形態は種々に変更可能である。
【０１０７】
例えば、キャリブレーション調整部７は、画像キャプチャ部６から画面中央付近の各画素のＹ信号などを参照して平均値を算出していたが、ある所定の１画素のＹ信号などを参照して、これが目標値となるかを判定するようにしてもよい。
【０１０８】
また、例えば、目標値に誤差範囲を必ずしも設ける必要はない。
【０１０９】
また、例えば、外部映像入力端子を介してＳビデオ信号がアナログ入力部１に入力されるようにしてもよい。この場合、輝度信号（Ｙ信号）および色信号（Ｃ信号）が分離されてアナログ入力部１に入力されることになり、キャリブレーション調整については上述したアナログコンポジット信号の場合の処理と同様とすればよい。
【０１１０】
また、本発明は液晶テレビに限らず、他の液晶表示装置やプラズマ表示装置、有機ＥＬ表示装置などにも適用可能である。
【符号の説明】
【０１１１】
１  アナログ入力部
２  Ａ／Ｄ変換部
３  Ｙ／Ｃｂ／Ｃｒ変換部
４  フレームバッファ
５  画像処理部
６  画像キャプチャ部
７  キャリブレーション調整部
８  フラッシュメモリ
９  デジタル入力部
１０  デコーダ部
１１  ＯＳＤ表示部
１２  Ｄ／Ａ変換部
２０  画像処理デバイス
３０  液晶パネル
【図１】
2011112983.tif 000003
【図２Ａ】
2011112983.tif 000004
【図２Ｂ】
2011112983.tif 000005
【図２Ｃ】
2011112983.tif 000006
【図３Ａ】
2011112983.tif 000007
【図３Ｂ】
2011112983.tif 000008
【図３Ｃ】
2011112983.tif 000009